(57)【要約】【課題】キッチンキャビネットの上面のカウンター上を万遍なく良好に照明できるキッチンの照明装置を提供する。【解決手段】キッチンキャビネットの上面のカウンター３の裏面に電源と接続して配設された一次コイル１１ｂと、この一次コイル１１ｂより誘導電流を受電する二次コイル１２ｂを備えてカウンター３上に移動可能に設けられる照明器６で構成され、この照明器６は、二次コイル１２ｂが内装された台部７と、台部７に略垂直に保持された導光板９と、この導光板９の上側端面に配置されて二次コイル１２ｂ側と電線で接続されたＬＥＤ１０を備え、ＬＥＤ１０からの光が導光板９を通し斜め下方へ照射されるように構成する。【選択図】図５
2011028868.tif 000002
【特許請求の範囲】
【請求項１】
キッチンキャビネットの上面のカウンターの裏面に、電源と接続して配設された一次コイルと、
該一次コイルより誘導電流を受電する二次コイルを備えて前記カウンター上に移動可能に設けられた照明器で構成され、
該照明器は、前記二次コイルが内装された台部と、該台部に略垂直に保持された導光板と、該導光板の上側端面に配置されて前記二次コイル側と電線で接続されたＬＥＤ光源を備え、前記ＬＥＤ光源からの光が前記導光板を通し斜め下方へ照射されるように構成したことを特徴とするキッチンの照明装置。
【請求項２】
前記導光板は、長方形の平面状であり、該導光板の左右いずれか側端あるいは左右両側端に前記電線を配したことを特徴とする請求項１に記載のキッチンの照明装置。
【請求項３】
前記照明器は、表側及び裏側の両面から光が照射されるように構成されていることを特徴とする請求項１または請求項２に記載のキッチンの照明装置。
【請求項４】
前記照明器は、前記導光板が一枚で構成されている請求項３に記載のキッチンの照明装置。
【請求項５】
前記二次コイルは、前記照明器の下端側の左右長手方向の中央付近に配置されていることを特徴とする請求項１または請求項２または請求項３または請求項４に記載のキッチンの照明装置。
【請求項６】
前記照明器は、前記台部が円形で、前記導光板が円筒形状であり、該導光板の円筒内に前記電線を配したことを特徴とする請求項１に記載のキッチンの照明装置。
【発明の詳細な説明】
【技術分野】
【０００１】
本発明は、キッチンキャビネットのカウンター上に移動可能な照明器を設けたキッチンの照明装置に関するものである。
【背景技術】
【０００２】
従来、特許文献１に開示されているように、キッチンキャビネットの上面のカウンター上に垂直にパネル照明を配置させ、このパネル照明の上側端面にＬＥＤ光源を配置させて、キッチンキャビネットのカウンター上面を照明できるように構成したキッチン照明装置が存在する。
【先行技術文献】
【特許文献】
【０００３】
【特許文献１】特開２００５−６３８００号公報
【発明の概要】
【発明が解決しようとする課題】
【０００４】
上記特許文献１に開示されているキッチン照明装置は、キッチンキャビネットのカウンターに固定されたものであり、移動させることはできないため、カウンター上を万遍なく照明することはできないものであった。
【課題を解決するための手段】
【０００５】
本発明は、キッチンキャビネットのカウンター上面を万遍なく照明できるキッチンの照明装置の提供を目的とし、この目的の少なくとも一部を達成するために以下の手段を採った。
本発明のキッチンの照明装置は、キッチンキャビネットの上面のカウンターの裏面に、電源と接続して配設された一次コイルと、
該一次コイルより誘導電流を受電する二次コイルを備えて前記カウンター上に移動可能に設けられた照明器で構成され、
該照明器は、前記二次コイルが内装された台部と、該台部に略垂直に保持された導光板と、該導光板の上側端面に配置されて前記二次コイル側と電線で接続されたＬＥＤ光源を備え、前記ＬＥＤ光源からの光が前記導光板を通し斜め下方へ照射されるように構成したことを要旨とする。
【発明の効果】
【０００６】
本発明のキッチンの照明装置では、カウンターの裏面に配設されている一次コイルの位置に照明器を移動させて、照明器内に設けられた二次コイルを介してＬＥＤ光源を発光させることができ、ＬＥＤ光源からの光が導光板へ入射し、拡散反射されて、光が導光板から斜め下方のカウンター上に照射されるため、カウンター上で調理作業等を行う際に手元を明るく照明することができる。
【０００７】
また、本発明のキッチンの照明装置において、前記導光板は、長方形の平面状であり、該導光板の左右いずれか側端あるいは左右両側端に前記電線を配したものとすることもできる。
こうすれば、照明器がスッキリとした形状を呈し、カウンター上で調理作業等を行う際に、広い範囲で手元を明るく照明することができる。
【０００８】
また、本発明のキッチンの照明装置において、前記照明器は、表側及び裏側の両面から光が照射されるように構成されているものとすることもできる。
こうすれば、カウンター上での、対面作業時においても、照明器から表側及び裏側へ照射される光により良好にキッチン作業が行えるものとなる。
【０００９】
また、表側及び裏側の両面から光が照射されるように構成した前記照明器において、前記導光板が一枚で構成されているものとすることもできる。
こうすれば、導光板が一枚であるためコンパクトな照明器となり、表側及び裏側の両面から光を照射させて、カウンター上での対面作業においても、良好に作業が行えるものとなる。
【００１０】
また、本発明のキッチンの照明装置において、前記二次コイルは、前記照明器の下端側の左右長手方向の中央付近に配置されているものとすることもできる。
こうすれば、照明器がカウンター上で回転ずれを生じたような場合でも、一次コイルより誘導電流を良好に二次コイルに給電することができ、照明器がずれた場合でも、照明器の明るさが安定したものとなる。
【００１１】
また、本発明のキッチンの照明装置において、前記照明器は、前記台部が円形で、前記導光板が円筒形状であり、該導光板の円筒内に前記電線を配したものとすることもできる。
こうすれば、意匠性に優れた照明器となり、導光板の外周全域から光を照射させることができるものとなる。
【図面の簡単な説明】
【００１２】
【図１】照明器を備えたキッチンキャビネットの斜視構成図である。
【図２】照明器の斜視構成図である。
【図３】照明器の要部を拡大して示す正面縦断面構成図である。
【図４】照明器の縦断面側面構成図である。
【図５】照明器から斜め下方へ光が照射される状態を示す照明器の縦断面側面構成図である。
【図６】照射される光の向きを変えた場合の照明器の要部縦断面拡大構成図である。
【図７】裏表両面側へ光を照射させることのできる照明器の縦断面側面構成図である。
【図８】図７の照明器の照明状態の縦断面側面構成図である。
【図９】円形状をなす照明器の斜視構成図である。
【図１０】図９の照明器から光が照射されている照明状態の斜視構成図である。
【発明を実施するための形態】
【００１３】
次に、本発明を実施するための形態を実施例を用いて説明する。
図１は、キッチンキャビネットの斜視構成図であり、キッチンキャビネット１は、収納空間が形成されたキャビネット本体２の上面にカウンター３が設けられ、カウンター３には、シンク４と、シンク４内に給水するための水栓５が設けられている。また、カウンター３上には、カウンター３上を照明するための照明器６が設置されている。
この照明器６は、カウンター３から着脱させることができて移動が可能なものであり、別の場所へ持ち運ぶことができ、カウンター３から別の場所へ持ち運んで容易に清掃することができるものである。
【００１４】
この照明器６は、図２に斜視図で示すように構成されており、底台部７の左右両端側に起立状に側台部８ａ，８ｂが立設され、この左右の側台部８ａ，８ｂ間に、長方形の平面状の導光板９が嵌め込まれて、導光板９は底台部７上に略垂直に立設されている。この導光板９は、アクリル，ガラス，ポリカーボネート，ＰＰ（ポリプロピレン），ＡＢＳ，その他の光透過性材料で構成され、この導光板９の上側端面には、左右方向に間隔をおいて、例えば２０個程度のＬＥＤ１０，１０，１０が配設されている。
【００１５】
図３の要部正面断面図で示すように、底台部７を介して安定的に導光板９をカウンター３上に略垂直に配置させることができ、カウンター３の裏面の所定位置には、一次コイル１１ａ，１１ｂが左右に間隔をおいて配置されており、各一次コイル１１ａ，１１ｂは図示しない電源に接続されている。また、照明器６の底台部７の左右長手方向中央付近には、左右に間隔をおいて２個の二次コイル１２ａ，１２ｂが内装されている。
なお、二次コイル１２ａ，１２ｂと各ＬＥＤ１０は電線１８で繋がっており、電線１８は導光板９の側端の側台部８ｂ内に配線しておくことができる。
【００１６】
また、図４の側面断面構成図で示すように、導光板９の裏面側には拡散・反射加工面９ａが形成されている。この拡散・反射加工面９ａは、導光板９の裏面を細かな凹凸状に加工したものである。
導光板９の拡散・反射加工面９ａの裏側には、アルミニウム製の反射フイルム１３が貼着されている。また、この反射フイルム１３の裏面側に、アルミニウム或いは銅製の放熱板１７を設けておいても良い。この放熱板１７を設けておけば、ＬＥＤ１０からの熱を良好に逃がすことができ、ＬＥＤ１０の寿命を延ばすことができる。
【００１７】
なお、導光板９の表側及び裏側には窓板１５ａ，１５ｂが底台部７から立設されており、表裏側の窓板１５ａ，１５ｂの上端側は上板１４で連結されている。
このように窓板１５ａ，１５ｂ及び上板１４で、導光板９及びＬＥＤ１０を包囲した形状に形成しておけば、水密性が確保されて、照明器６を丸洗いすることもできる。
【００１８】
このような構成において、照明器６を、カウンター３に設けられている一次コイル１１ａ，１１ｂの位置に移動させて、一次コイル１１ａ，１１ｂと二次コイル１２ａ，１２ｂを整合させると、電源に接続されている一次コイル１１ａ，１１ｂより誘導電流を二次コイル１２ａ，１２ｂに給電して、電線１８を介してＬＥＤ１０を点灯させることができる。
点灯された多数のＬＥＤ１０からの光は、図５に示すように上方から導光板９内に入射され、導光板の拡散・反射加工面９ａで拡散反射された光は、手元照明光Ｒａとして斜め下方へ向かって照射される。
この手元照明光Ｒａでカウンター３上を明るく照らすことができ、カウンター３上で調理作業等を行う際に、手元が明るく照明されて作業を良好に行うことができるものとなる。
【００１９】
なお、図３に示すように、二次コイル１２ａ，１２ｂは、照明器６の底台部７の左右長手方向中央付近に配置されているため、照明器６がカウンター３上で回転ずれを生じたような場合でも、一次コイル１１ａ，１１ｂより誘導電流を良好に二次コイル１２ａ，１２ｂに給電することができ、照明器６がずれた場合でも、照明器６の明るさが安定したものとなる。
【００２０】
なお、本例では、図３に示すように、カウンター３の裏側に２個の一次コイル１１ａ，１１ｂを設け、照明器６の底台部７内に２個の二次コイル１２ａ，１２ｂを設けているため、一次コイル１１ａと二次コイル１２ａを整合させ、かつ一次コイル１１ｂと二次コイル１２ｂを整合させて、２セットの一次コイルと二次コイルを整合させることにより、フルパワーで全部のＬＥＤ１０を点灯させて明るい手元照明光Ｒａを得ることができる。
なお、例えば一次コイル１１ａと二次コイル１２ｂのみを整合させて、１セットの一次コイルと二次コイルを整合させた場合は、半分の数のＬＥＤ１０を点灯させて照明器６の明るさを半分にすることができる。
【００２１】
また、図４における放熱板１７の図示右側に、さらに反射フイルム１３と導光板９及びＬＥＤ１０を追加して、放熱板１７の左右側に背中合わせで２セットの導光板９とＬＥＤ１０を設けた構造の照明器６とした場合には、照明器６の表裏側へ照明光を照射させることができるものとなるが、このような表裏側に照射できるように構成した場合に、図３のように、２セットの一次コイル１１ａ，１１ｂと二次コイル１２ａ，１２ｂを設けた構成では、例えば２セットの一次コイル１１ａ，１１ｂと二次コイル１２ａ，１２ｂを同時に整合させた場合には、表裏両側を同時に照明することができ、１セットの一次コイル１１ａと二次コイル１２ｂのみを整合させた時には、表側或いは裏側の何れか側のみに照明光を照射させることができるものとなる。
【００２２】
なお、図６の拡大断面構成図で示すように、導光板９の反射フイルム１３の反対側面に透過・拡散フイルム１６ａ，１６ｂを貼着して設けることで、導光板９から下向きに照射される手元照明光Ｒａの向きを変えることができる。
即ち、手元照明光Ｒａが強すぎるような場合等には、透過・拡散フイルム１６ａ，１６ｂを一枚或いは二枚、更には数枚貼着等して、手元照明光Ｒａの向き及び強さを変えることができるものである。
【００２３】
なお、本例では、図３のように、一次コイル及び二次コイルをそれぞれ２個設けたものを例示しているが、一次コイル及び二次コイルはそれぞれ１個ずつであっても良く、更には、一次コイル及び二次コイルはそれぞれ３個或いは４個設けて構成することもできる。
なお、照明器６の底台部７或いは側台部８ａ，８ｂ内に、コンデンサー或いは二次電池を設けておくこともでき、照明器６内にコンデンサー或いは二次電池が内装されている場合には、これらのコンデンサー或いは二次電池が二次コイル１２ａ，１２ｂで充電されるため、一次コイル１１ａ，１１ｂの位置から照明器６を離した場合にも、良好に照明器６から手元照明光Ｒａを照射させることができるものとなる。
【００２４】
次に、図７に側面縦断面構成図で示す照明器６は、一枚の導光板９を用いて裏表両面へ照明光を照射させることができるように構成したものである。
照明器６の底台部７上に垂直に安定して導光板９が立設されており、導光板９の上端には多数のＬＥＤ１０が列設されている。
導光板９には細かい凹凸加工を施した拡散・反射加工面９ａが形成されており、この拡散・反射加工面９ａの表側には、上下方向中央部から上部のみに反射フイルム１３ａが貼着されている。また、導光板９の裏側には、上下方向中央部から下部のみに反射フイルム１３ｂが貼着されている。
【００２５】
このような構成では、図８に示すように、一次コイル１１ｂと二次コイル１２ｂが整合されて、一次コイル１１ｂから誘導電流が二次コイル１２ｂに給電されると、電線１８を介してＬＥＤ１０が点灯し、ＬＥＤ１０からの光は導光板９へ上方から入射し、拡散・反射加工面９ａで拡散反射され、反射フイルム１３ａが貼着されている導光板９の上部部位では、裏側へ向かって下向きに対面照明光Ｒｂが照射されることとなり、また、導光板９の下部部位では、反射フイルム１３ｂに反射されて導光板９の表側へ下向きに手元照明光Ｒａが照射される。
従って、手元照明光Ｒａによりカウンター３上で調理作業等を行う際に手元が明るく照明され、さらに対面照明光Ｒｂにより裏側も照明されて、カウンター３上で対面作業する場合にも、手元が明るく照明されることとなる。
このように一枚の導光板９により表側及び裏側両面から光が照射されるため、コンパクトな照明器６となる。
【００２６】
次に、図９に示す照明器６は、台部７を円形に形成し、この台部７上に垂直に保持される導光板９は円筒形状に形成したものであり、円筒形状の導光板９の上側端面に、間隔をおいて複数のＬＥＤ１０，１０，１０を配置させ、各ＬＥＤ１０に電力を供給する電線１８は、円筒状の導光板９の内周部を通して、台部７内に内装されている二次コイル或いはコンデンサー等に接続させたものである。
【００２７】
このような構造の照明器６では、ＬＥＤ１０が点灯されると、図１０に示すように、導光板９の外周全域から下向きに照明光Ｒａが照射されることとなり、台部７の周囲のカウンター３上を広い範囲で良好に照明できるものとなる。
また、円形であるため意匠性にも優れたものとなり、カウンター３上を万遍なく良好に照明でき、また、使用しない時には、カウンター３上から離して別の場所に置いておくことができるものである。
【符号の説明】
【００２８】
１  キッチンキャビネット
２  キャビネット本体
３  カウンター
４  シンク
６  照明器
７  底台部
８ａ，８ｂ  側台部
９  導光板
９ａ  拡散・反射加工面
１０  ＬＥＤ
１１ａ，１１ｂ  一次コイル
１２ａ，１２ｂ  二次コイル
１３，１３ａ，１３ｂ  反射フイルム
１５ａ，１５ｂ  窓板
１６ａ，１６ｂ  透過・拡散フイルム
１７  放熱板
１８  電線
Ｒａ  手元照明光
Ｒｂ  対面照明光
【図１】
2011028868.tif 000003
【図２】
2011028868.tif 000004
【図３】
2011028868.tif 000005
【図４】
2011028868.tif 000006
【図５】
2011028868.tif 000007
【図６】
2011028868.tif 000008
【図７】
2011028868.tif 000009
【図８】
2011028868.tif 000010
【図９】
2011028868.tif 000011
【図１０】
2011028868.tif 000012